(57)【要約】【課題】複合筆記具の後部外筒内部にスライダ支持ケースおよびカートリッジを収容するものにおいて、複合筆記具の長さを短くすること。【解決手段】複数の筆記用芯部材６がそれぞれ装着された複数のスライダ４を前後方向にスライド可能に支持するスライダ支持ケース３と、マーカ、修正テープ等のカートリッジ９とを収容する後部外筒２を有する複合筆記具１において、スライダ支持ケース３に支持された複数のスライダ４の後端部をカートリッジ９の前端円筒部９１ａ内部に配置することにより長さを短くした複合筆記具。【選択図】図１
2005096402.tif 000002
【特許請求の範囲】
【請求項１】
次の構成要件（Ａ01）〜（Ａ05）を備えた複合筆記具、
（Ａ01）複数の筆記用芯部材の前側部分を収容し、前端に筆記用芯部材が出没可能な前端開口が形成され、後端に複数の筆記用芯部材が貫通する後端貫通口が形成された前部外筒、
（Ａ02）前記複数の各筆記用芯部材の後側部分がそれぞれ着脱可能に装着される芯部材装着孔を有する複数のスライダ、
（Ａ03）前記複数のスライダをそれぞれ前後方向にスライド可能に支持する複数のスライダガイド溝が後部に設けられ、前記スライダガイド溝の前端に設けたガイド溝前端壁に前記複数の各筆記用芯部材が貫通し且つ前記スライダガイド溝の前端と連通する芯部材貫通孔が形成されたスライダ支持ケース、
（Ａ04）前記スライダ支持ケースを収容するとともに、前記前部外筒の後部貫通口に接続し且つ前記筆記用芯部材が前後に移動可能に貫通する前部貫通口と、後端に形成されたカートリッジ着脱口と、前記カートリッジ着脱口から挿入されたカートリッジが着脱可能に装着されるカートリッジ収容部とが設けられた後部外筒、
（Ａ05）前記カートリッジの前端部に設けた前端円筒部の内側に挿入されるように、スライダ後端部が配置された前記複数のスライダ。
【請求項２】
次の構成要件（Ａ06），（Ａ07）を備えた請求項１記載の複合筆記具、
（Ａ06）前記スライダ支持ケース（３）に着脱可能に連結され、連結状態では前記スライダ支持ケース（３）と一体的に回転する前記前部外筒（７）、
（Ａ07）前記スライダ支持ケース（３）を３６０°未満の所定角度の範囲内で回転可能に収容するとともに、前記スライダ支持ケース（３）が回転した時に前記スライダ（４）に形成された傾斜面（４４，４４）に当接して前記スライダ（４）を前後方向に移動させるスライダ移動用ガイド（２６）を有する前記後部外筒（２）。
【請求項３】
次の構成要件（Ａ08）を備えた請求項１記載の複合筆記具、
（Ａ08）前記後部外筒の外側に露出して且つ前後方向に移動可能に配置されたノック式操作部を有する前記複数の各スライダ。
【発明の詳細な説明】
【技術分野】
【０００１】
本発明は、ボールペンの芯部材、シャープペンシルの芯部材等の複数の筆記用芯部材を外筒内部に前後に移動可能に収容し、前記複数の筆記用芯部材の中の一つの筆記用芯部材を前記外筒の前部開口から順次前方に突出させることができる複合筆記具に関する。
本明細書で前記「複合筆記具」とは、「筆記用芯部材を外筒内部に前後に移動可能に収容し、前記複数の筆記用芯部材の中の一つの筆記用芯部材を前記外筒の前部開口から順次前方に突出させることができる筆記具」という意味である。
【背景技術】
【０００２】
従来の筆記具で且つ筆記用芯部材が１本のものにおいて、筆記用芯部材の後端部にマーカ、修正テープ、修正液塗布部材等のカートリッジを着脱可能に装着するようにしたものとして、次の特許文献１〜４記載の技術が従来公知である。
【特許文献１】特許文献１（実開平６−５９９３号公報）
【特許文献１】特許文献２（実開平４−６０４９４号公報）
【特許文献１】特許文献３（実開平４−１２６８９２号公報）
【特許文献１】特許文献４（特表２００３−５１１２６５号公報）
【発明の開示】
【発明が解決しようとする課題】
【０００３】
（前記特許文献１〜４記載の技術の問題点）
これらの特許文献１〜４に記載された技術は、筆記用芯部材とカートリッジとは軸方向に離れた位置に配置されている。このため、筆記具の長さは筆記用芯部材の長さに、カートリッジの長さがプラスされることになる。そうすると、筆記具の長さが長くなってしまう。
【０００４】
前記従来技術に関する説明では１本の筆記用芯部材とカートリッジとを備えた筆記具に関する問題点として説明したが、複数の筆記用芯部材を有する従来の複合筆記具に関しても同様の問題点がある。特に、複合筆記具は、複数の筆記用芯部材が並んだ状態で配置されており、各筆記用芯部材の後端部にはスライダが装着されており、前記スライダはスライダ支持ケースによりスライド可能に支持されている。このような複合筆記具においてその長さを短くするためには、前記複数の筆記用芯部材の後端部を支持する複数のスライダおよびそれを支持するスライダ支持ケース後端部と、前記カートリッジとを軸方向に重なるように配置することは一見したところ困難と思うのが普通である。
本発明は前記事情に鑑み、次の（Ｏ01）の記載内容を技術的課題とする。
（Ｏ01）スライダ支持ケースによりスライド可能に支持されるスライダに後端部が支持された筆記用芯部材の前端部が外筒の前端開口部から出没可能、且つ外筒の後端開口部からマーカ、修正テープ等のカートリッジを直脱可能に装着可能な複合筆記具において、複合筆記具の長さを短くすること。
【課題を解決するための手段】
【０００５】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００６】
（第１発明）
前記課題を解決するために第１発明の複合筆記具は、次の構成要件（Ａ01）〜（Ａ05）を備えたことを特徴とする。
（Ａ01）複数の筆記用芯部材（６）の前側部分を収容し、前端に筆記用芯部材（６）が出没可能な前端開口（７１）が形成され、後端に複数の筆記用芯部材（６）が貫通する後端貫通口（７２）が形成された前部外筒（７）、
（Ａ02）前記複数の各筆記用芯部材（６）の後側部分がそれぞれ着脱可能に装着される芯部材装着孔（４１）を有する複数のスライダ（４）、
（Ａ03）前記複数のスライダ（４）をそれぞれ前後方向にスライド可能に支持する複数のスライダガイド溝（３５）が後部に設けられ、前記スライダガイド溝（３５）の前端に設けたガイド溝前端壁（３４）に前記複数の各筆記用芯部材（６）が貫通し且つ前記スライダガイド溝（３５）の前端と連通する芯部材貫通孔（３４ａ）が形成されたスライダ支持ケース（３）、
（Ａ04）前記スライダ支持ケース（３）を収容するとともに、前記前部外筒（７）の後部貫通口（７２）に接続し且つ前記筆記用芯部材（６）が前後に移動可能に貫通する前部貫通口（２２）と、後端に形成されたカートリッジ着脱口（２１）と、前記カートリッジ着脱口（２１）から挿入されたカートリッジ（９）が着脱可能に装着されるカートリッジ収容部（２０）とが設けられた前記後部外筒（２）、
（Ａ05）前記カートリッジ（９）の前端部に設けた前端円筒部（９１ａ）の内側に挿入されるように、スライダ後端部が配置された前記複数のスライダ（４）。
【０００７】
（本発明の作用）
前記構成要件（Ａ01）〜（Ａ05）を備えたに本発明の複合筆記具では、後部外筒（２）は、スライダ支持ケース（３）を収容する。
スライダ支持ケース（３）の後部に設けられた複数のスライダガイド溝（３５）は、スライダ（４）を前後方向にスライド可能に支持する。前記スライダガイド溝（３５）の前端に設けたガイド部前端壁（３４）に形成された芯部材貫通孔（３４ａ）の前側から挿入した複数の筆記用芯部材（６）は、前記芯部材貫通孔（３４ａ）を貫通して前記スライダガイド溝（３５）に支持されたスライダ（４）の芯部材貫通孔（３４ａ）にガイドされる。前記複数の各筆記用芯部材（６）の後側部分はそれぞれ、複数のスライダ（４）の各芯部材装着孔（４１）にそれぞれ着脱可能に装着される。
前記スライダ（４）の芯部材装着孔（４１）に後端部が装着された前記筆記用芯部材（６）は、後部外筒（２）の前端貫通口（２２）を前後に移動可能に貫通する。後部外筒（２）の前端貫通口（２２）を前後に移動可能に貫通する前記筆記用芯部材（６）は、前記後部外筒（２）の前端貫通口（２２）が前部外筒（７）の後端貫通口（７２）に接続した状態では、前部外筒（７）の後端貫通口（７２）を前後に移動可能に貫通する。その状態では、複数の筆記用芯部材（６）の前側部分は前部外筒（７）に収容されており、その状態で前方に移動した筆記用芯部材（６）は前部外筒（７）の前端開口（７１）から前方に突出して筆記可能な状態となる。
前記後部外筒（２）の後端に形成したカートリッジ着脱口（２１）からカートリッジ（９）を挿入して、カートリッジ収容部（２０）に着脱可能に装着することができる。したがって、本発明の形態２の複合筆記具では、前記カートリッジ（９）の機能も使用することができる。
前記カートリッジ（９）としては、マーカ、糊、印鑑、消しゴム、修正テープ等のカートリッジ（９）を使用することができる。
前記複数のスライダ（４）のスライダ後端部が前記カートリッジ（９）の前端部に設けた前端円筒部（９１ａ）の内側に挿入されるように配置されている。
前記カートリッジ（９）は、後部外筒（２）のカートリッジ収容部（２０）に装着するため、カートリッジ（９）の前端円筒部（９１ａ）に、スリット等を入れて弾性を調節し、その前端円筒部（９１ａ）の弾性変形を利用して、後部外筒（２）のカートリッジ収容部（２０）に装着しているものがある。そのようなカートリッジ（９）の前端円筒部（９１ａ）の内部に、スライダ後端部を配置することにより、複合筆記具の長さが長くなり過ぎないようにすることができる。
【０００８】
（本発明の形態１）
前記本発明の形態１の複合筆記具は、前記本発明において次の構成要件（Ａ06），（Ａ07）を備えたことを特徴とする。
（Ａ06）前記スライダ支持ケース（３）に着脱可能に連結され、連結状態では前記スライダ支持ケース（３）と一体的に回転する前記前部外筒（７）、
（Ａ07）前記スライダ支持ケース（３）を３６０°未満の所定角度の範囲内で回転可能に収容するとともに、前記スライダ支持ケース（３）が回転した時に前記スライダ（４）に形成された傾斜面（４４，４４）に当接して前記スライダ（４）を前後方向に移動させるスライダ移動用ガイド（２６）を有する前記後部外筒（２）。
（本発明の形態１の作用）
前記構成要件（Ａ07）を備えた本発明の形態１の複合筆記具では、前記スライダ支持ケース（３）に着脱可能に連結された前記前部外筒（７）は、連結状態では前記スライダ支持ケース（３）と一体的に回転する。前記後部外筒（２）は前記スライダ支持ケース（３）を３６０°未満の所定角度の範囲内で回転可能に収容するので、前部外筒（７）とスライダ支持ケース（３）とが連結された状態では、前部外筒（７）およびスライダ支持ケース（３）は後部外筒（２）に対して所定角度の範囲内で回転可能である。前記後部外筒（２）に対して、前部外筒（７）と共に前記スライダ支持ケース（３）を回転させると、前記後部外筒（２）のスライダ移動用ガイド（２６）は、前記スライダ（４）に形成された傾斜面（４４，４４）に当接して前記スライダ（４）を前後方向に移動させる。したがって、前部外筒（７）および後部外筒（２）を相対的に回転させることにより、筆記用芯部材（６）を前部外筒（７）の前端開口（７１）から出没させることができる。
【０００９】
（本発明の形態２）
本発明の形態２の複合筆記具は、前記本発明の複合筆記具において次の構成要件（Ａ08）を備えたことを特徴とする。
（Ａ08）前記後部外筒の外側に露出して且つ前後方向に移動可能に配置されたノック式操作部を有する前記複数の各スライダ。
（本発明の形態４の作用）
前記構成要件（Ａ08）を備えた本発明の複合筆記具の形態４では、前記複数の各スライダ（４）のノック式操作部が、前記後部外筒（２）の外側に露出して且つ前後方向に移動可能に配置されるので、前記ノック式操作部を操作することにより、筆記用芯部材（６）を前部外筒（７）の前端開口（７１）から出没させることが可能である。
【発明の効果】
【００１０】
前述の本発明の複合筆記具は、下記の効果（Ｅ01）を奏する。
（Ｅ01）複合筆記具の後部外筒内部に収容されたスライダ支持ケースに収容された複数のスライダの後部を、後部外筒内部に収容されたカートリッジの前端円筒部の内部に配置することにより、複合筆記具の長さを短くすることができる。
【発明を実施するための最良の形態】
【００１１】
次に図面を参照しながら、本発明の複合筆記具の実施例を説明するが、本発明は以下の実施例に限定されるものではない。
【実施例１】
【００１２】
次に図面を参照しながら、本発明の実施の形態の具体例（実施例）を説明するが、本発明は以下の実施例に限定されるものではない。
図１は本発明の複合筆記具の実施例１の全体説明図で、図１Ａは全部品の組立状態の側断面図、図１Ｂは同平断面図である。
図２は前記図１の複合筆記具の分解図である。
図１、図２において、複合筆記具１は、後部外筒２と、前記後部外筒２の内側前部に３６０度未満の所定角度範囲で回転可能に収容されたスライダ支持ケース３と、前記スライダ支持ケース３の後部にスライド可能に支持されたスライダ４と、前記スライダの前端と前記スライダ支持ケースとの間に配置されたリターンバネ５と、前記スライダに着脱可能に装着された筆記用芯部材６と、前記スライダ支持ケース３の前端部に着脱可能に装着された前部外筒７と、前部外筒７表面に装着されたグリップ用ラバー８と、前記後部外筒２の内側後部に着脱可能に装着されるカートリッジ９と、前記カートリッジ９の後部を被覆するカバーキャップ１０とを有している。前記カートリッジ９の後部とカバーキャップ１０とは、ネジ式、弾性嵌合式等の方法により連結することができる。
【００１３】
図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。なお、図４において、クリップの図示は省略している。
図３Ｃにおいて後部外筒２は円筒状部材であり、その後部内側にはカートリッジ収容部２０が形成されており、後端にはカートリッジ着脱口２１が形成されている。また、後部外筒２の前端には複数の筆記用芯部材６が貫通する前端貫通孔２２が形成されている。
前記後部外筒２の軸方向内面には内側に突出するリング状係止部２３が形成されている。リング状係止部２３はスライダ支持ケース３を回転可能且つ軸方向の移動は不可能に係止するための部材である。
【００１４】
前記リング状係止部２３のやや後部側（図３Ｃで右側）には内側に突出する円弧状のカートリッジ係止部２４が形成されている。また図３Ｃの内側上面には軸方向に延びるカートリッジガイド部２５が形成されている。カートリッジガイド部２５はカートリッジ９を後部外筒２内部に挿入する際にカートリッジ９の被ガイド部（後述）と係合するため部材であり、前記カートリッジ係止部２４はカートリッジ９が挿入された時に軸方向の位置を定める部材である。なお、前記カートリッジガイド部２５は、カートリッジ収容部２０の上面に設ける代わりに、下面、側面等に形成することが可能である。なお、カートリッジ９については後述する。
前記リング状係止部２３のやや前側にはスライダ移動用ガイド２６が形成されている。スライダ移動用ガイド２６は図４Ｃ、図４Ｆに示されている。スライダ移動用ガイド２６は、その前端部に形成されたスライダ係止凹部２６ａ（図３Ｃ、図４Ｆ参照）と、前記スライダ係止凹部２６ａの両端部から後方に延びる一対の傾斜面２６ｂ，２６ｂと、前記傾斜面の後端から円周方向に延びるスライダ後端位置規制部２６ｃ，２６ｃとを有している。
前記後部外筒２の内側前端部には回転範囲規制用突出部２７（図３Ｃ、図４Ｅ参照）と内径の大きな回転位置規制部材収容部２８とが形成されている。
【００１５】
図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
図６は前記図５に示すスライダ支持ケースの説明図で、図６Ａは前記図５ＣのＶIＡ−
ＶIＡ線端面図、図６Ｂは前記図５ＣのＶIＢ−ＶIＢ線端面図、図６Ｃは前記図５ＣのＶＣＡ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【００１６】
図５において、スライダ支持ケース３は、前部（図５で左側部分）は円筒状に形成されており、その外周面にはオスネジ３１が形成されている。前記オスネジ３１の後側には大径のフランジ３２が形成されている。前記フランジの後側（図５で右側）の外側面には下側には突出する回転位置規制部材３３が設けられている。前記フランジ３２の部分とその後側（図５で右側）のフランジ隣接部分の内側には端壁（ガイド溝前端壁）３４が形成されており、前記ガイド溝前端壁３４にはコーナ部（角部）を丸めたおむすび形状の芯部材貫通孔３４ａ（図６Ｆ参照）が形成されている。
前記芯部材貫通孔３４ａの後側には前記芯部材貫通孔３４ａに接続し且つ前後に延びる３個のスライダガイド溝３５が形成されている。前記３個のスライダガイド溝３５は前記芯部材貫通孔３４ａに近い部分では仕切部材３６（図６Ｃ，図６Ｄ，図６Ｅ参照）により完全に分離されている。前記仕切部材３６は、円柱に軸方向に延びる３個のスライダガイド溝３５を設けた形状の部材である。したがって、仕切部材３６の外側面の形状は部分円筒面である。
【００１７】
前記仕切部材３６は、前記芯部材貫通孔３４ａから離れた後側部分（図５で右側部分）では仕切部材３６の中心部分が除去されて、図６Ａ、図６Ｂに示すように３個の仕切部材３７に分割されている。したがって、前記３個のスライダガイド溝３５は、前記芯部材貫通孔３４ａから遠い後側部分（図５で右側部分）では部分的に連通状態で、前記３個の仕切部材３７の間に形成されている。図６Ａ、図６Ｂから分かるように、前記３個の仕切部材３７の外側面の形状も部分円筒面である。
前記３個の仕切部材３７の外側面には円周方向に被係止溝３７ａが形成されており、被係止溝３７ａの後側には、後側に行くに従って外径が縮小する傾斜面３７ｂが形成されている。前記スライダ支持ケース３を前記後部外筒２の前端貫通口２２から挿入した際、前記傾斜面３７ｂは後部外筒２のリング状係止部２３により外径が縮小した状態で、前記リング状係止部２３を後方に通過する。前記傾斜面３７ｂがリング状係止部２３を後方に通過した時、前記被係止溝３７ａの外径が拡大して、前記リング状係止部２３に係止される。係止された状態では、被係止溝３７ａは前記リング状係止部２３に回転可能且つ前後方向の移動不能に連結される。
前記スライダ支持ケース３の回転位置規制部材３３は前記後部外筒２の回転位置規制部材収容部２８（図３Ｃ、図４Ｅ参照）に回転可能に収容され、回転範囲規制用突出部２７と係合する位置で回転が規制される。
スライダ支持ケース３の前端部の外周面には円周方向に離れた３か所の位置に、前記３個のスライダガイド溝３５の位置に対応して、ブルー（青）のボールペンを挿入する位置を示す「Ｌ」（図５Ａ参照）、レッド（赤）のボールペンを挿入する位置を示す「Ｒ」（図５Ｂ参照）、および、ブラック（黒）のボールペンを挿入する位置を示す「Ｂ」（図示せず）の小さい文字が形成されている。
【００１８】
図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
図８は前記図７の平面図で、図８Ａは各部品を組み立てた状態の平面図、図８Ｂは前記図８Ａの分解図である。
なお、本実施例１では筆記用芯部材６は３本使用しているが、図７、図８において筆記用芯部材６を３本図示すると、図面の記載が複雑になるので、筆記用芯部材６は２本のみ図示している。
【００１９】
図７、図８において、スライダ支持ケース３のスライダ支持ケース３の後部の３個の各スライダガイド溝３５にはそれぞれスライダ４が前後に移動可能に支持されている。前記スライダ４の前端部と前記スライダガイド溝３５の前端部との間にはリターンバネ５が配置されており、スライダ４は常時後方（図７、図８で右方）に移動する力を受けている。前記スライダ支持ケース３の前記芯部材貫通孔３４ａを前方から後方に貫通した筆記用芯部材６の後端部は前記スライダ４の芯部材装着孔（４１）（後述）に着脱可能に装着される。
【００２０】
図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【００２１】
図１０、図１１において、スライダ４は円筒状部材であり、筆記用芯部材６の後端部が着脱可能に装着される芯部材装着孔４１（図１０Ｃ、図１１Ｂ等参照）を有している。芯部材装着孔４１の内部には、芯部材装着孔４１内部には筆記用芯部材６が挿入された時に筆記用芯部材６を摩擦力により保持するための上下一対の突出部４１ａ，４１ａが設けられいてる。
芯部材装着孔４１の前端は開口しておりその開口部端面にはバネ受け座４２が形成されている。バネ受け座４２はリターンバネ５（図９参照）の後端部を支持する部分である。芯部材装着孔４１の後端には後端壁４３が設けられている。後端壁４３の内面は前記筆記用芯部材６の後端が当接する面である。
スライダ４の前側部分（図１０で左側部分）上部には後向きの一対の傾斜面４４，４４が設けられている。この傾斜面４４，４４は、前記図４Ｆに示す後部外筒２のスライダ移動用ガイド２６の傾斜面２６ｂ，２６ｂと係合する面である。このスライダ４の傾斜面４４が前記スライダ移動用ガイド２６の傾斜面２６ｂと係合した状態で、前記スライダ支持ケース３および後部外筒２が相対的に回転すると、傾斜面２６ｂによりスライダ４の傾斜面が円周方向に押されて、スライダ４は前記傾斜面２６ｂに沿ってスライド移動する。このとき、スライダ４は前後方向に移動する。
【００２２】
前記スライダ４の傾斜面４４，４４の先端部は、スライダ４が前側に移動したときに、前記後部外筒２のスライダ係止凹部２６ａに嵌合する部分である。
前記後部外筒２に形成したスライダ移動用ガイド２６の傾斜面２６ｂとスライダ４に設けた傾斜面４４とを係合させた状態で後部外筒２およびスライダ支持ケース３を相対的に回転させることにより、複数のスライダを順次前方に移動させると同時に前方に移動していたスライダ４を後方に移動させる構成は従来周知である。
【００２３】
図１２は前部外筒およびその表面に装着されるグリップ用ラバーの説明図で、図１２Ａは上面図、図１２Ｂは側面図で前部外筒図１２Ａの矢印ＸIIＢ−ＸIIＢから見た図、図１２Ｃは側断面図で前記図１２ＡのＸIIＣ−ＸIIＣ線断面図である。
図１３は前部外筒の説明図で、図１３Ａは前記図１２Ｃの矢印ＸIIIＡ−ＸIIIＡから見た図、図１３Ｂは前記図１２Ｃの矢印ＸIIIＢから見た図、図１３Ｃは前記図１２Ｃの矢印ＸIIＣで示す部分の詳細図である。
図１２、図１３において、前部外筒７は円錐状部材であり、その前端に筆記用芯部材６が出没可能な前端開口７１が形成され、後端に後端貫通口７２が形成されている。前部外筒７の前端部内側には前後に延びる複数のＶ型溝７３が形成されている。Ｖ型溝７３は筆記用芯部材６としてボールペンを使用したとき、前部外筒７の前端部内側に付着したボールペン先端のインクが円周方向に広がるのを防止するための溝である。前部外筒７の後端部内側にメスネジ７４が形成されている。メスネジ７４は前記スライダ支持ケース３の前端部外周面に形成されたオスネジ３１と螺合するネジである。
【００２４】
前部外筒７の後端部内面には前部外筒７の肉厚を調整するための複数の肉厚調整溝７５が形成されている。前部外筒７の成形時に肉厚が急激に変化する部分が有ると、その部分に応力の発生や歪みが生じ易いので、前記応力の発生や歪みの発生を防止するために前記肉厚調整溝７５が設けられている。
前記前部外筒７の外側面には弾性の有るグリップ用ラバー８が装着されている。グリップ用ラバー８は複合筆記具１の使用者の使用感覚を良くするための部材である。
【００２５】
図１４はカートリッジとカートリッジ後端に着脱可能なキャップとを説明する図で、図１４は上面図、図１４Ｂは側面図で前記図１４Ａの矢印ＸIＶＢから見た図、図１４Ｃは前記図１４Ｂとは反対側の側面図で前記図１４Ａの矢印ＸIＶＣから見た図、図１４Ｄは前記図１４ＡのＸIＶＤ−ＸIＶＤ線端面図である。
図１４において、本実施例１で使用しているカートリッジ９は、修正テープカートリッジである。カートリッジ９は、円筒部材９１と前記円筒部材９１の内部に修正テープ９２を巻かれたテープ供給用リール９３および巻取用リール９４を有している。前記テープ供給用リール９３から供給される修正テープ９２は後端のテープ支持部材９５の表面に沿って移動し、前記巻取用リールに巻き取られるように構成されている。
前記カートリッジ９の円筒部材９１の前端円筒部９１ａは円筒状に形成されており、前記前端円筒部９１ａは、３本のスリット９１ｂが形成されており、前記スリット９１ｂにより適当な弾性を有している。前記円筒部９１ａの外周面にはリング状の凹部（被係止部）９１ｃが形成されている。
【００２６】
また、前記円筒部材９１の外側面には前後に延びる被ガイド部９１ｄ，９１ｄ（図１４Ｃ、図１４Ｄ参照）が形成されている。前記被ガイド部９１ｄ，９１ｄは、カートリッジ９を前記後部外筒２のカートリッジ着脱口２１から挿入した際に後部外筒２の内面に形成されたカートリッジガイド部２５（図３Ｃ、図４Ａ参照）に係合してガイドされる部分である。前記被ガイド部９１ｄ，９１ｄがカートリッジガイド部２５に係合することにより、後部外筒２に対するカートリッジ９の回転位置の位置決めが行われる。
前記カートリッジ９が前記後部外筒２内部に挿入された状態では、前記後部外筒２のカートリッジ係止部２４（図３Ｃ参照）が前記リング状の凹部（被係止部）９１ｃと係合することにより、カートリッジ９の軸方向（前後方向）の位置決めが行われる。
【００２７】
前記図１Ａ、図１Ｂから分かるように、カートリッジ９の前端円筒部９１ａの内部に、前記複数のスライダ４の後端部およびスライダ支持ケース３の仕切部材３７の後端部（すなわち、スライダ支持ケース３の後端部）が挿入されている。このため、複合筆記具の長さが長くなり過ぎないようにすることができる。
【００２８】
（実施例１の作用）
前記構成を備えた本発明の実施例１の複合筆記具１は、図７Ａまたは図８Ａのように、スライダ支持ケース３にスライダ４、リターンバネ５および筆記用芯部材６を組付けた状態で、前記スライダ支持ケース３を後部外筒２の前端貫通口２２から後部外筒２内部に挿入する。そのとき、図１Ａ、図１Ｂに示すように、スライダ支持ケース３の３個の仕切部材３７の外側面に形成された被係止溝３７ａが、後部外筒２内側面に形成されたリング状係止部２３に係合する。この状態では、スライダ支持ケース３は後部外筒２内部で回転可能であるが、軸方向（前後方向）の移動は不可能である。
その状態では図１Ａ、図１Ｂに示すように、スライダ支持ケース３の前端部の円筒外側面に形成されたオスネジ３１（図５参照）は、後部外筒２の前端貫通口２２から前方に突出している。
前記スライダ支持ケース３の前端部外側面に形成されたオスネジ３１に、前部外筒７の後端部内周面に形成されたメスネジ７４を螺合させることにより、スライダ支持ケース３に前部外筒７を着脱可能に連結することができる。前記連結した状態（オスネジ３１およびメスネジ７４を締めつけた状態）では、スライダ支持ケース３および前部外筒７は相対移動不可能である。なお、オスネジ３１およびメスネジ７４を緩めた状態ではスライダ支持ケース３および前部外筒７は相対回転可能となる。
【００２９】
前記オスネジ３１およびメスネジ７４を締めつけてスライダ支持ケース３および前部外筒７を連結した状態では、スライダ支持ケース３の回転位置規制部材３３（図５Ｂ、図５Ｃ、図６Ｃ〜図６Ｅ参照）が、後部外筒２の回転位置規制部材収容部２８（図３Ｃ、図４Ｅ参照）内で回転可能である。すなわち、回転位置規制部材３３が回転範囲規制用突出部２７に係合するまで、スライダ支持ケース３は後部外筒２内部で回転可能である。
したがって、前記スライダ支持ケース３および前部外筒７を連結した状態で、スライダ支持ケース３および前部外筒７は、後部外筒２に対して所定の角度範囲（３６０°未満の範囲）内で回転可能である。したがって、後部外筒２に対して、スライダ支持ケース３および前部外筒７を回転させると、スライダ支持ケース３に支持されたスライダ４の傾斜面４４（図１０Ａ、図１１Ｄ参照）は、後部外筒２内面に形成したスライダ移動用ガイド２６の傾斜面２６ｂ（図３Ｃ参照）と係合し、傾斜面２６ｂに押されて、前後方向にスライド移動する。このとき、複数の筆記用芯部材６の前端部を前部外筒７の前端開口７１から順次出没させることができる。
【００３０】
前記筆記用芯部材６の交換を行う際には、前記オスネジ３１およびメスネジ７４を緩めて、後部外筒２に支持されたスライダ支持ケース３から前部外筒７を離脱させる。その状態でスライダ支持ケース３の前端（図１参照）から突出している筆記用芯部材６を前方に引っ張ることにより、筆記用芯部材６をスライダ４から引き抜くことができる。
新しい筆記用芯部材６を前部外筒７スライダ４に装着するには、スライダ支持ケース３の前端から筆記用芯部材６を挿入する。前記スライダ支持ケースの芯部材貫通孔３４ａは、前記複数の筆記用芯部材６の全てが貫通する１個の貫通孔により形成されているので、複数の筆記用芯部材６が貫通する大きさを有している。したがって、前記１個の貫通孔により形成された芯部材貫通孔３４ａは、複数の筆記用芯部材６がそれぞれ貫通する複数の芯部材貫通孔を形成した場合に比較して、芯部材貫通孔３４ａの形状が大きいので、前記芯部材貫通孔３４の内側に筆記用芯部材６の後端を容易に挿入することができる。前記芯部材貫通孔３４ａの内側に挿入された筆記用芯部材６の後端は芯部材貫通孔３４ａの内周面により前記スライダガイド溝３５にガイドされる。
【００３１】
このため、筆記用芯部材６をスライダガイド溝３５に、容易に挿入することができるので、筆記用芯部材６を前記スライダ４の芯部材装着孔４１に容易に装着することができる。前記スライダ４の芯部材装着孔４１に後端部が装着された前記筆記用芯部材６は、後部外筒２の前端貫通口２２内側に配置されたスライダ支持ケース３を前後に移動可能に貫通する。後部外筒２の前端貫通口２２を前後に移動可能に貫通する前記筆記用芯部材６は、前記後部外筒２の前端貫通口２２が前部外筒７の後端貫通口７２（図１２Ｃ参照）に接続した状態では、前部外筒７の後端貫通口７２を前後に移動可能に貫通する。その状態では、複数の筆記用芯部材６の前側部分は前部外筒７内部に収容されており、その状態で前方に移動した筆記用芯部材６は前部外筒の前端開口７１から前方に突出して筆記可能な状態となる。
【００３２】
前記円筒状の後部外筒２の後部内側にはカートリッジ収容部２０が形成されており、カートリッジ収容部２０には、内側に突出する円弧状のカートリッジ係止部２４と、軸方向に延びるカートリッジガイド部２５が形成されている。したがって、カートリッジ着脱口２１からカートリッジ９を挿入したとき、カートリッジガイド部２５は、カートリッジ９の被ガイド部９１ｄ（図１４参照）と係合して、カートリッジ９を軸方向（前後方向）にガイドするので、カートリッジ収容部２０内でのカートリッジ９の回転位置を所定の回転位置に保持することができる。また、前記カートリッジ係止部２４は、カートリッジ９が挿入された時に凹部（被係止部）９１ｃと係合して、カートリッジ９の軸方向の位置決めを行う。
また、前記複数のスライダ４の後端部およびスライダ支持ケース３の仕切部材３７の後端部（すなわち、スライダ支持ケース３の後端部）は、前記カートリッジ９の前端円筒部９１ａの内部に挿入されているので、複合筆記具１の長さを短くすることができる。
【産業上の利用可能性】
【００３３】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（１）前記スライダ支持ケース３の複数のスライダガイド溝３５の前端に設けたガイド溝前端壁３４に形成される芯部材貫通孔３４ａは、複数の筆記用芯部材６が全て貫通する１個の貫通孔により形成する代わりに、複数の筆記用芯部材６がそれぞれ個別に貫通する複数の貫通孔により形成することが可能である。
【図面の簡単な説明】
【００３４】
【図１】図１は本発明の複合筆記具の実施例１の全体説明図で、図１Ａは全部品の組立状態の側断面図、図１Ｂは同平断面図である。
【図２】図２は前記図１の複合筆記具の分解図である。
【図３】図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
【図４】図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。なお、図４において、クリップの図示は省略している。
【図５】図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
【図６】図６は前記図５に示すスライダ支持ケースの説明図で、図６Ａは前記図５ＣのＶIＡ−ＶIＡ線端面図、図６Ｂは前記図５ＣのＶIＢ−ＶIＢ線端面図、図６Ｃは前記図５ＣのＶＣＡ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【図７】図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
【図８】図８は前記図７の平面図で、図８Ａは各部品を組み立てた状態の平面図、図８Ｂは前記図８Ａの分解図である。
【図９】図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
【図１０】図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
【図１１】図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【図１２】図１２は前部外筒およびその表面に装着されるグリップ用ラバーの説明図で、図１２Ａは上面図、図１２Ｂは側面図で前部外筒図１２Ａの矢印ＸIIＢ−ＸIIＢから見た図、図１２Ｃは側断面図で前記図１２ＡのＸIIＣ−ＸIIＣ線断面図である。
【図１３】図１３は前部外筒の説明図で、図１３Ａは前記図１２Ｃの矢印ＸIIIＡ−ＸIIIＡから見た図、図１３Ｂは前記図１２Ｃの矢印ＸIIIＢから見た図、図１３Ｃは前記図１２Ｃの矢印ＸIIＣで示す部分の詳細図である。
【図１４】図１４はカートリッジとカートリッジ後端に着脱可能なキャップとを説明する図で、図１４は上面図、図１４Ｂは側面図で前記図１４Ａの矢印ＸIＶＢから見た図、図１４Ｃは前記図１４Ｂとは反対側の側面図で前記図１４Ａの矢印ＸIＶＣから見た図、図１４Ｄは前記図１４ＡのＸIＶＤ−ＸIＶＤ線端面図である。
【符号の説明】
【００３５】
２…後部外筒、
３…スライダ支持ケース、
４…スライダ、
６…筆記用芯部材、
７…前部外筒、
９…カートリッジ、
２０…カートリッジ収容部、
２１…カートリッジ着脱口、
２２…前端貫通口、
２６…スライダ移動用ガイド、
３４…ガイド溝前端壁、
３４ａ…芯部材貫通孔、
３５…スライダガイド溝、
４１…芯部材装着孔、
４４…傾斜面、
７１…前端開口、
７２…後端貫通口、
９１ａ…前端円筒部、
【図１】
2005096402.tif 000003
【図２】
2005096402.tif 000004
【図３】
2005096402.tif 000005
【図４】
2005096402.tif 000006
【図５】
2005096402.tif 000007
【図６】
2005096402.tif 000008
【図７】
2005096402.tif 000009
【図８】
2005096402.tif 000010
【図９】
2005096402.tif 000011
【図１０】
2005096402.tif 000012
【図１１】
2005096402.tif 000013
【図１２】
2005096402.tif 000014
【図１３】
2005096402.tif 000015
【図１４】
2005096402.tif 000016